(57)【特許請求の範囲】
【請求項１】
基部と、この基部の両側に設けた一対の接続体部を備え、各接続体部の外側部に水道管接続部を設けるとともに、各接続体部の内側部に前記水道管接続部に連通する量水器接続部を設けた量水器の接続装置において、少なくとも一方の量水器接続部に、前記接続体部に一体の固定管部と、この固定管部の内部に軸方向へスライド可能に設けた可動管部と、前記固定管部の周部上面に回動可能に設け、かつ上方へ突出させた操作軸部と、この操作軸部の上端に設け、当該操作軸部を操作する操作ハンドルの着脱部が着脱する被着脱部と、前記固定管部に設けることにより前記被着脱部の周りを覆い、前記操作ハンドルの着脱部のみが前記操作軸部の被着脱部に対して着脱できる規制筒部と、前記操作軸部の外周面に設けることにより前記規制筒部の内周面に係合し、前記操作軸部の回動範囲を規制するストッパピンと、前記操作軸部の下端と前記可動管部の周部を係合させ、前記操作軸部の回動位置により前記可動管部を前記軸方向へ変位させるカム機構部を備えることを特徴とする量水器の接続装置。
【請求項２】
前記固定管部の内部に、前記可動管部を量水器に対して圧接する方向へ付勢するスプリングを備えることを特徴とする請求項１記載の量水器の接続装置。
【請求項３】
前記カム機構部は、前記操作軸部における下端の偏心位置から下方に突出した凸部と、前記可動管部の周部に設け、前記凸部が係合する凹部からなることを特徴とする請求項１記載の量水器の接続装置。
【請求項４】
基部と、この基部の両側に設けた一対の接続体部を備え、各接続体部の外側部に水道管接続部を設けるとともに、各接続体部の内側部に前記水道管接続部に連通する量水器接続部を設けた量水器の接続装置において、少なくとも一方の量水器接続部に、前記接続体部に一体の固定管部と、この固定管部の内部に軸方向へスライド可能に設けた可動管部と、前記固定管部の周部上面に回動可能に設け、かつ上方へ突出させた操作軸部と、この操作軸部の上端に設け、当該操作軸部を操作する操作ハンドルの着脱部が着脱する被着脱部と、この操作軸部の下端と前記可動管部の周部を係合させ、前記操作軸部の回動位置により前記可動管部を前記軸方向へ変位させるカム機構部を備えるとともに、前記一対の接続体部を、それぞれ上下に分割形状となる接続体主部と接続体副部により着脱可能に構成し、各接続体副部に前記量水器接続部を設け、かつ各接続体主部に前記水道管接続部を設けることにより内部に湾曲した水路を形成し、前記基部の両側に各接続体主部を設けて基体部を構成してなることを特徴とする量水器の接続装置。
【発明の詳細な説明】
【０００１】
【発明の属する技術分野】
本発明は、水道管の中途に量水器を接続する際に用いて好適な量水器の接続装置に関する。
【０００２】
【従来の技術】
一般に、水道管の中途に接続する量水器は、定められた検定有効期限の経過によって取替える必要がある。このため、所定の接続装置を水道管の中途に接続するとともに、この接続装置に量水器を着脱可能に接続していた。
【０００３】
従来、この種の接続装置としては、既に本出願人が提案した特許第２９９７９１９号公報で開示される量水器の接続装置が知られている。同公報開示の接続装置は、対峙した一対の接続機構部を具備し、各接続機構部の外端に設けた水道管接続部に水道管を接続するとともに、一方の接続機構部の内側に、固定管部とこの固定管部に一端側をスライド自在に挿入した可動管部とこの可動管部を進退移動させる操作部とを有する伸縮機構部を設け、当該可動管部の他端に設けた量水器接続部と他方の接続機構部の内端に設けた量水器接続部間に、量水器を着脱可能に構成したものであり、特に、操作部には、固定管部に対する可動管部の周方向変位を規制する第一規制部と、固定管部の外周面に回動自在に装着した操作ハンドル部と、操作ハンドル部の軸方向変位を規制する第二規制部と、操作ハンドル部の内周面と可動管部の外周面が螺合する螺合部を備えている。これにより、操作ハンドル部を回動させれば、可動管部は第一規制部により周方向変位が規制されているため、当該可動管部は進退方向に移動し、伸縮機構部が伸縮することにより量水器の着脱を行うことができる。
【０００４】
【発明が解決しようとする課題】
しかし、上述した従来における量水器の接続装置は、次のような改善すべき課題も残されていた。
【０００５】
第一に、作業者は、固定管部の周面に沿った操作ハンドルを、固定管部の周方向へ回動させる必要があるため、上方からの操作では、持ちにくい操作ハンドルを操作しなければならず、操作性に難があるとともに、一回の操作による操作範囲（回動角）が小さくならざるを得ず、操作に時間がかかってしまう。
【０００６】
第二に、操作に伴う手の動きを許容するための空間を確保する必要があるため、接続装置を収容するメータボックスの大型化を招くとともに、これに伴うコストアップや施工性の悪化を招く。
【０００７】
本発明は、このような従来の技術に存在する課題を解決したものであり、量水器の着脱時における操作性の向上及び操作の迅速化を図れるとともに、メータボックスの小型化，コストダウン及び施工性の向上に寄与できる量水器の接続装置の提供を目的とする。
【０００８】
【課題を解決するための手段及び実施の形態】
本発明（第一の発明）に係る量水器Ｍの接続装置１は、基部２と、この基部２の両側に設けた一対の接続体部３ｐ，３ｑを備え、各接続体部３ｐ，３ｑの外側部３ｐｏ，３ｑｏに水道管接続部４ｐ，４ｑを設けるとともに、各接続体部３ｐ，３ｑの内側部３ｐｉ，３ｑｉに水道管接続部４ｐ，４ｑに連通する量水器接続部５ｐ，５ｑを設けた接続装置を構成するに際して、少なくとも一方の量水器接続部５ｐに、接続体部３ｐに一体の固定管部１０と、この固定管部１０の内部に軸方向へスライド可能に設けた可動管部１１と、固定管部１０の周部上面に回動可能に設け、かつ上方へ突出させた操作軸部１２と、この操作軸部１２の上端に設け、当該操作軸部１２を操作する操作ハンドル１５の着脱部１５ｃが着脱する被着脱部１２ｃと、固定管部１０に設けることにより被着脱部１２ｃの周りを覆い、操作ハンドル１５の着脱部１５ｃのみが操作軸部１２の被着脱部１２ｃに対して着脱できる規制筒部２７と、操作軸部１２の外周面に設けることにより規制筒部２７の内周面に係合し、操作軸部１２の回動範囲を規制するストッパピン２９と、この操作軸部１２の下端と可動管部１１の周部を係合させ、操作軸部１２の回動位置により可動管部１１を軸方向へ変位させるカム機構部１３を備えることを特徴とする。この場合、好適な実施の形態により、固定管部１０の内部には、可動管部１１を量水器Ｍに対して圧接する方向へ付勢するスプリング１４を備えることができるとともに、カム機構部１３は、操作軸部１２における下端の偏心位置から下方に突出した凸部１２ｓと、可動管部１１の周部に設け、凸部１２ｓが係合する凹部１１ｓにより構成できる。
【０００９】
また、本発明（第二の発明）に係る量水器Ｍの接続装置１は、基部２と、この基部２の両側に設けた一対の接続体部３ｐ，３ｑを備え、各接続体部３ｐ，３ｑの外側部３ｐｏ，３ｑｏに水道管接続部４ｐ，４ｑを設けるとともに、各接続体部３ｐ，３ｑの内側部３ｐｉ，３ｑｉに水道管接続部４ｐ，４ｑに連通する量水器接続部５ｐ，５ｑを設けた接続装置を構成するに際して、少なくとも一方の量水器接続部５ｐに、接続体部３ｐに一体の固定管部１０と、この固定管部１０の内部に軸方向へスライド可能に設けた可動管部１１と、固定管部１０の周部上面に回動可能に設け、かつ上方へ突出させた操作軸部１２と、この操作軸部１２の上端に設け、当該操作軸部１２を操作する操作ハンドル１５の着脱部１５ｃが着脱する被着脱部１２ｃと、この操作軸部１２の下端と可動管部１１の周部を係合させ、操作軸部１２の回動位置により可動管部１１を軸方向へ変位させるカム機構部１３を備えるとともに、一対の接続体部３ｐ，３ｑを、それぞれ上下に分割形状となる接続体主部３ｐｍ，３ｑｍと接続体副部３ｐｓ，３ｑｓにより着脱可能に構成し、各接続体副部３ｐｓ，３ｑｓに量水器接続部５ｐ，５ｑを設け、かつ各接続体主部３ｐｍ，３ｑｍに水道管接続部４ｐ，４ｑを設けることにより内部に湾曲した水路Ｓを形成し、基部２の両側に各接続体主部３ｐｍ，３ｑｍを設けて基体部１６を構成してなることを特徴とする。
【００１０】
これにより、固定管部１０の上面から上方へ突出した操作軸部１２を、回動操作すれば、カム機構部１３により可動管部１１が固定管部１０の軸方向へ変位する。即ち、操作軸部１２の偏心した凸部１２ｓが回動変位することにより、この凸部１２ｓに係合する凹部１１ｓを有する可動管部１１が軸方向へ変位する。この結果、一対の量水器接続部５ｐと５ｑ間が広がり又は狭まるため、量水器Ｍの着脱を行うことができる。この際、操作軸部１２には、操作ハンドル１５が着脱する。したがって、操作時には、操作ハンドル１５を装着して操作軸部１２の操作を容易に行うことができるとともに、非操作時には、操作ハンドル１５を離脱して作業者以外による無用な操作を排除できる。なお、各接続体副部３ｐｓ，３ｑｓを、基体部６に対して着脱可能に構成すれば、共用する基体部６に対して、例えば、継手管，止水栓，逆止弁のいずれかの機能を含ませた異なる接続体副部３ｐｓ…，３ｑｓ…を選択して装着できる。
【００１１】
【実施例】
次に、本発明に係る好適な実施例を挙げ、図面に基づき詳細に説明する。
【００１２】
まず、本実施例に係る接続装置１の構成について、図１〜図６を参照して説明する。
【００１３】
接続装置１は対峙する一対の接続体部３ｐ，３ｑを備える。各接続体部３ｐ，３ｑは、それぞれ接続体主部３ｐｍ，３ｑｍと接続体副部３ｐｓ，３ｑｓからなる分割形状に構成するとともに、接続体主部３ｐｍ，３ｑｍの上端に設けたフランジ部２１ｐ，２１ｑと接続体副部３ｐｓ，３ｑｓの下端に設けたフランジ部２２ｐ，２２ｑを複数の固定ねじ２３…により着脱できるように構成する。
【００１４】
接続体主部３ｐｍと３ｑｍは、同一の接続体主部３ｐｍ…を二つ用いることができる。接続体主部３ｐｍと３ｑｍは、パイプ部材を用いた基部２の両側にそれぞれ固定して基体部１６を構成する。この場合、接続体主部３ｐｍと３ｑｍの相対向する面に水平方向のねじ孔部（雌ねじ）を設け、このねじ孔部に基部２の両端周面に設けたねじ部（雄ねじ）をそれぞれ螺着する。また、各接続体主部３ｐｍ，３ｑｍの底部には、脚部２４ｐ，２４ｑを一体に設けるとともに、各接続体主部３ｐｍ，３ｑｍにおける当該ねじ孔部を設けた面に対して反対の面となる外側部３ｐｏ，３ｑｏには、水平方向へ筒形に突出し、かつ外周面にねじ部２５ｐ，２５ｑを有する水道管接続部４ｐ，４ｑを設ける。各接続体主部３ｐｍ，３ｑｍの内部には湾曲した水路Ｓ…を有し、この水路Ｓ…の一端は水道管接続部４ｐ，４ｑの先端開口に連通するとともに、水路Ｓ…の他端は接続体主部３ｐｍ，３ｑｍの上端面に設けた開口に連通する。
【００１５】
一方、各接続体副部３ｐｓ，３ｑｓの相対向する内側部３ｐｉ，３ｑｉには、量水器接続部５ｐ，５ｑを設ける。この場合、片方の量水器接続部５ｐは、接続体副部３ｐｓに一体形成した固定管部１０を有し、内部に可動管部１１を軸方向へスライド可能に収容する。また、固定管部１０の外周部上面には、上方に突出し、かつ固定管部１０の内部に連通する支持筒部２６を一体形成し、この支持筒部２６により操作軸部１２を回動可能に支持する。操作軸部１２は、支持筒部２６の上端から上方へ突出した被着脱部１２ｃを有するとともに、図５に示すように、下端の偏心位置から下方に突出し、断面を卵形に形成した凸部１２ｓを有する。また、支持筒部２６の上端には、規制筒部２７を螺着し、操作軸部１２を規制するとともに、被着脱部１２ｃの周りを覆う。この場合、被着脱部１２ｃを断面角形に形成し、規制筒部２７で被着脱部１２ｃの周りを覆うことにより、図４に示す操作ハンドル１５の着脱部１５ｃのみが被着脱部１２ｃに対して着脱できるようにする。なお、着脱部１５ｃには、被着脱部１２ｃが差込まれる嵌合凹部が形成されている。これにより、操作ハンドル１５を所持している作業者のみが、操作軸部１２の操作を行うことができるとともに、作業者以外による無用な操作を排除できる。なお、操作ハンドル１５を離脱した際には、プラスチック或いはゴム等により形成した保護キャップ２８を規制筒部２７の上端に装着する。さらに、操作軸部１２の外周部にはストッパピン２９を設け、規制筒部２７の内周面に係合させることにより、操作軸部１２を１８０°の回動範囲に規制する。
【００１６】
他方、可動管部１１の外周部には、図５に示す凹部１１ｓを形成する。実施例の凹部１１ｓは、周部に開口する小判形の孔部により形成し、この凹部１１ｓに凸部１２ｓが進入して係合する。この凸部１２ｓと凹部１１ｓによりカム機構部１３を構成する。カム機構部１３を、このような凸部１２ｓと凹部１１ｓにより構成すれば、構成の簡易化により低コストかつ小型コンパクトに実施できる。また、固定管部１０の内部には、可動管部１１を量水器Ｍに対して圧接する方向へ付勢するスプリング１４を収容する。なお、他方の量水器接続部５ｑには、接続体副部３ｑｓの本体に装着して固定した接続管部３０を備える。
【００１７】
そして、各接続体副部３ｐｓ，３ｑｓの内部には湾曲した水路Ｓ…を有し、この水路Ｓ…の一端は量水器接続部５ｐ，５ｑの先端開口に連通するとともに、水路Ｓ…の他端は接続体副部３ｐｓ，３ｑｓの下端面に設けた開口に連通する。これにより、接続体主部３ｐｍ，３ｑｍに、接続体副部３ｐｓ，３ｑｓを装着した場合、量水器接続部５ｐ，５ｑと水道管接続部４ｐ，４ｑは、図１に示すように、Ｓ字状に湾曲（屈曲）した水路Ｓにより相連通する。
【００１８】
また、一方（上流側）の接続体副部３ｐｓは止水栓３１を備える。止水栓３１は、切換弁体３２を内蔵し、図２の操作レバー３３を回すことにより切換弁体３２を回すことができる。これにより、図１に示す位置の給水モードとこの位置から９０°反時計方向へ回動させた図４に示す位置の止水モードに選択的に切換えることができる。
【００１９】
さらに、他方（下流側）の接続体副部３ｑｓは逆止弁３６を備える。逆止弁３６は、量水器接続部５ｑに設けた弁座３７，この弁座３７に対して下流側に配した軸方向へ変位自在の弁体３８，この弁体３８を上流側へ付勢するスプリング３９を備える。これにより、逆止弁３６は、水道水が下流側（図１右側）に流れれば、水圧により開となり、水道水が上流側（図１左側）に流れようとすれば、逆方向の水圧により閉となる。
【００２０】
このような構造を採用することにより、一対の接続体主部３ｐｍと３ｑｍを連結する基部２は、水道管Ｐｆ，Ｐｒ（図７参照）に対して同軸上に位置するため、水道管Ｐｆ，Ｐｒからの荷重に対して機械的強度が低下する不具合を解消することができる。したがって、量水器接続部５ｐと５ｑ間の寸法精度を確保できるとともに、基部２の単一化が可能となり、信頼性の向上及び部品点数の削減を図ることができる。また、量水器Ｍ及び各接続体副部３ｐｓ，３ｑｓは、基体部１６に対してオフセットした位置、即ち、基体部１６に備える接続体主部３ｐｍ，３ｑｍを下側に配するとともに、量水器Ｍを装着する接続体副部３ｐｓ，３ｑｓを上側に配するため、止水栓３１や逆止弁３６を含む装置全体の寸法が短縮化され、装置全体及び後述するメータボックス５０の小型化が図られるとともに、止水栓３１や逆止弁３６を含む量水器の支持強度を向上させることができる。さらに、各接続体副部３ｐｓ，３ｑｓは、基体部１６に対して着脱可能に構成するとともに、基体部１６を共用できるため、止水栓３１や逆止弁３６をはじめ、単なる継手管等の異なる機能を有する接続体副部３ｐｓ…，３ｑｓ…を選択して装着することができ、融通性（汎用性及び発展性）を高めることができるとともに、製品種類の削減及びこれに伴う低コスト化を図ることができる。しかも、接続体主部３ｐｍ，３ｑｍは、同一の接続体主部３ｐｍ…を二つ用いたため、更なる部品点数の削減とコスト低減に寄与できる。
【００２１】
次に、本実施例に係る接続装置１の使用方法及び機能について、図１〜図７を参照して説明する。
【００２２】
まず、接続装置１を設置する際には、図７に示すように、地面Ｅに比較的浅いメータボックス５０を埋設し、このメータボックス５０の内部に接続装置１を設置する。メータボックス５０は、上方に開口したボックス本体部５１とボックス本体部５１の開口を閉塞するカバー部５２を備える。そして、設置した接続装置１の水道管接続部３ｐｏには上流側水道管Ｐｒを接続するとともに、水道管接続部３ｑｏには下流側水道管Ｐｆを接続する。なお、Ｐｍは上流側水道管Ｐｒが接続される水道本管を示す。
【００２３】
また、接続装置１の接続体副部３ｐｓ，３ｑｓに設けた量水器接続部５ｐと５ｑ間には量水器Ｍを装着する。装着する際には、規制筒部２７から保護キャップ２８を取外し、操作軸部１２の被着脱部１２ｃに、図４に示すように、操作ハンドル１５の着脱部１５ｃを装着する。この場合、操作ハンドル１５の着脱部１５ｃのみが被着脱部１２ｃに対して着脱できるため、操作軸部１２の操作は、操作ハンドル１５を所持している作業者のみが行うことができるとともに、作業者以外による無用な操作は排除される。また、操作軸部１２は、固定管部１０の周部上面から上方へ突出するため、操作ハンドル１５を上方から操作する場合、いわば、回動式の蛇口を操作する場合と同様に操作できるため、きわめて容易に操作できるとともに、一回の回動操作で操作を終了でき、量水器Ｍの着脱時における操作性の向上及び操作の迅速化を図れる。しかも、固定管部１０に対して周方向へ操作する必要がないことから、操作に伴う手の動きを許容する空間も不要となり、結果的に、メータボックス５０の小型化，コストダウン及び施工性の向上に寄与できる。
【００２４】
そして、操作軸部１２の凸部１２ｓが、図５に示す仮想線位置にあれば、操作ハンドル１５を１８０°回動変位させることにより、実線位置（断面位置）へ変位させることができるため、凸部１２ｓに係合する凹部１１ｓを有する可動管部１１を、スプリング１４の弾性に抗して図５に示す仮想線位置から実線位置へ変位させることができる。この状態を図４に示す。
【００２５】
これにより、可動管部１１は、対向する接続管部３０に対して離間する方向へ変位し、可動管部１１と接続管部３０の間隔が広くなるため、可動管部１１と接続管部３０間に、量水器Ｍを介在させることができる。次いで、操作ハンドル１５を１８０°回動変位させれば、操作軸部１２の凸部１２ｓは、図５に示す実線位置（断面位置）から仮想線位置へ変位するため、可動管部１１はスプリング１４の弾性により、図５に示す実線位置から仮想線位置へ変位する。この際、可動管部１１はスプリング１４により付勢されるため、可動管部１１の先端面（接続面）が量水器Ｍの一端に圧接するとともに、接続管部３０の先端面（接続面）が量水器Ｍの他端に圧接する。なお、凸部１２ｓと凹部１１ｓの係合は、図５に示す仮想線位置のように解除される。
【００２６】
よって、量水器Ｍの装着が終了するため、操作ハンドル１１を操作軸部１２から離脱し、規制筒部２７に保護キャップ２８を装着する。この状態を図１に示す。そして、量水器Ｍに水道水を通す通常の使用状態に設定する場合には、止水栓３１の切換弁体３２の位置を図１に示す給水モードに切換えればよい。ところで、通水時には、水圧によって量水器Ｍと接続装置１間の水漏れは確実に阻止される。即ち、可動管部１１の内径を、圧接する量水器Ｍの一端における内径とほぼ同一に選定すれば、この可動管部１１における下流側端面の水圧に対する受圧面積はほぼ０となる。これに対して、可動管部１１における固定管部１０の内部に面した上流側端面の受圧面積は当該上流側端面の面積にほぼ一致するため、水圧の大きさに応じて可動管部１１が量水器Ｍに圧接する押圧力が大きくなり、量水器Ｍと接続装置１間の水漏れは確実に阻止される。
【００２７】
一方、量水器Ｍを取外す場合には、まず、止水栓３１の切換弁体３２の位置を図４に示す止水モードに切換える。そして、上述した量水器Ｍを装着する手順と逆の手順を行えばよい。なお、量水器Ｍを離脱させた際には、下流側水道管Ｐｆにおける水道水の水圧により逆止弁３６が閉じるため、下流側水道管Ｐｆ内における水道水の流出は阻止される。
【００２８】
以上、実施例について詳細に説明したが、本発明はこのような実施例に限定されるものではなく、細部の構成，形状，素材等において、本発明の要旨を逸脱しない範囲で任意に変更，追加，削除することができる。例えば、本発明は、接続体主部３ｐと３ｑの双方に固定管部１０，可動管部１１，操作軸部１２及びカム機構部１３を設ける形態、スプリング１４を使用しない形態、凸部１２ｓと凹部１１ｓ以外を用いたカム機構部１３の形態を排除するものではない。また、実施例では、接続体主部３ｐｍと３ｑｍに対してパイプ部材を用いた基部２を取付けた場合を示したが、基部２，接続体主部３ｐｍ及び３ｑｍは一体物として構成してもよいし、さらに、接続体副部３ｐｓ，３ｑｓは、例示以外の任意の異なる構成及び機能を有する接続体副部３ｐｓ，３ｑｓを用いることができる。
【００２９】
【発明の効果】
このように、第一の発明に係る接続装置は、少なくとも一方の量水器接続部に、接続体部に一体の固定管部と、この固定管部の内部に軸方向へスライド可能に設けた可動管部と、固定管部の周部上面に回動可能に設け、かつ上方へ突出させた操作軸部と、この操作軸部の上端に設け、当該操作軸部を操作する操作ハンドルの着脱部が着脱する被着脱部と、固定管部に設けることにより被着脱部の周りを覆い、操作ハンドルの着脱部のみが操作軸部の被着脱部に対して着脱できる規制筒部と、操作軸部の外周面に設けることにより規制筒部の内周面に係合し、操作軸部の回動範囲を規制するストッパピンと、操作軸部の下端と可動管部の周部を係合させ、操作軸部の回動位置により可動管部を軸方向へ変位させるカム機構部を備えるため、次のような顕著な効果を奏する。
【００３０】
（１）  操作軸部を固定管部の周部上面から上方へ突出させたため、操作ハンドルを上方から操作する場合、きわめて容易に行うことができるとともに、一回の回動操作で操作を終了できるため、量水器の着脱時における操作性の向上及び操作の迅速化を図ることができ、しかも、固定管部に対して周方向へ操作する必要がないことから、操作に伴う手の動きを許容する空間も不要となり、結果的に、メータボックスの小型化，コストダウン及び施工性の向上に寄与できるという基本的な効果を得ることができる。
【００３１】
（２）  固定管部に設けることにより被着脱部の周りを覆い、操作ハンドルの着脱部のみが操作軸部の被着脱部に対して着脱できる規制筒部を設けたため、操作ハンドルを所持している作業者のみが操作軸部の操作を行うことができ、作業者以外による無用な操作を排除できる。
【００３２】
（３）  操作軸部の外周面に設けることにより規制筒部の内周面に係合し、操作軸部の回動範囲を規制するストッパピンを設けたため、操作軸部に設けたストッパピンを規制筒部の内周面に係合させることにより操作軸部を１８０°の回動範囲に規制することができる。
【００３３】
また、第二の発明に係る接続装置は、少なくとも一方の量水器接続部に、接続体部に一体の固定管部と、この固定管部の内部に軸方向へスライド可能に設けた可動管部と、固定管部の周部上面に回動可能に設け、かつ上方へ突出させた操作軸部と、この操作軸部の上端に設け、当該操作軸部を操作する操作ハンドルの着脱部が着脱する被着脱部と、この操作軸部の下端と可動管部の周部を係合させ、操作軸部の回動位置により可動管部を軸方向へ変位させるカム機構部を備えるとともに、一対の接続体部を、それぞれ上下に分割形状となる接続体主部と接続体副部により着脱可能に構成し、各接続体副部に量水器接続部を設け、かつ各接続体主部に水道管接続部を設けることにより内部に湾曲した水路を形成し、基部の両側に各接続体主部を設けて基体部を構成してなるため、水道管からの荷重に対して機械的強度が低下する不具合を解消でき、量水器接続部間の寸法精度を確保できるとともに、基部の単一化が可能となり、信頼性の向上及び部品点数の削減を図ることができる。また、止水栓や逆止弁を含む装置全体の寸法が短縮化され、装置全体及び後述するメータボックスの小型化を図れるとともに、止水栓や逆止弁を含む量水器の支持強度を向上させることができる。さらに、止水栓や逆止弁をはじめ、単なる継手管等の異なる機能を有する接続体副部を選択して装着することができ、融通性（汎用性及び発展性）を高めることができるとともに、製品種類の削減及びこれに伴う低コスト化を図ることができる。
【図面の簡単な説明】
【図１】本発明の好適な実施例に係る接続装置の断面正面図、
【図２】同接続装置の外観正面図、
【図３】同接続装置の外観斜視図、
【図４】同接続装置の操作軸部に操作ハンドルを装着した状態の一部断面正面図、
【図５】同接続装置の可動管部を平面方向から見た状態の作用説明図、
【図６】同接続装置の一方の接続体部を可動管部側から見た側面図、
【図７】同接続装置の使用状態説明図、
【符号の説明】
１      接続装置
２      基部
３ｐ    接続体部
３ｑ    接続体部
３ｐｏ  外側部
３ｑｏ  外側部
３ｐｉ  内側部
３ｑｉ  内側部
３ｐｍ  接続体主部
３ｑｍ  接続体主部
３ｐｓ  接続体副部
３ｑｓ  接続体副部
４ｐ    水道管接続部
４ｑ    水道管接続部
５ｐ    量水器接続部
５ｑ    量水器接続部
１０    固定管部
１１    可動管部
１１ｓ  凹部
１２    操作軸部
１２ｃ  被着脱部
１２ｓ  凸部
１３    カム機構部
１４    スプリング
１５    操作ハンドル
１５ｃ  着脱部
１６    基体部
２７    規制筒部
２９    ストッパピン
Ｍ      量水器
Ｓ      水路
【図１】
0003605672.tif 000002
【図２】
0003605672.tif 000003
【図３】
0003605672.tif 000004
【図４】
0003605672.tif 000005
【図５】
0003605672.tif 000006
【図６】
0003605672.tif 000007
【図７】
0003605672.tif 000008